(57)【特許請求の範囲】
【請求項１】
漁網１１０には、
漁網１１０の位置情報、識別子、及び漁網１１０に設置されたバッテリーの電気残量情報を、アンテナ１０３を介して無線で送出して、遠隔の船舶１８０による無線での受信に供する漁網情報送信装置１００が設置され、
その漁網情報送信装置１００が、
漁網１１０に設置されたＧＰＳ受信部１０１と、
アンテナ１０３を介して無線で送受信する無線モデム１０２と、
漁網１１０に設置されたバッテリー１０５の電気残量を検出するバッテリー残量検出部１０６と、
ＧＰＳ受信部１０１及びバッテリー残量検出部１０６に接続され、漁網１１０の位置情報、識別子、及び漁網１１０に設置されたバッテリー１０５の電気残量情報を無線モデム１０２を介して送出する漁網情報送信制御部１０４とを備え、
さらに、アンテナ１０３及び漁網情報送信装置１００を内部に設置して保護するためのハウジング２００を備え、
そのハウジング２００が、
保護キャップ１５１がアンテナ１０３に被せられ、開口部が上端及び下端に形成された上部ケース１５５と上端に開口部が形成され下端は密閉した下部ケース１５４が結合され、
上端及び下端に開口部が形成され、内周に雌ネジ部が形成された円形の回転式ロック装置１５６が上部ケース１５５の外周を覆って、下部ケース１５４の上端部外周に形成された雄ネジ部に雌ネジ部が回転によって近接するか当接することにより、上部ケース１５５が下部ケース１５４に密着して結合され、
下部ケース１５４内にバッテリー１０５が定着され、上部ケース１５５の下端に保護板１６４が結合され、保護板１６４の上側に、ＧＰＳ受信部１０１、無線モデム１０２、漁網情報送信制御部１０４及びバッテリー残量検出部１０６が実装されたプリント基板１６３が装着され、
船舶１８０には、
漁網情報送信装置１００から送出される漁網１１０の位置情報、識別子、及び漁網１１０に設置されたバッテリーの電気残量情報をアンテナ１２２を介して受信する漁網情報受信装置１２０と、
電子海図情報を格納する電子海図格納部１３５と、
電子海図格納部１３５に格納された電子海図情報及び漁網情報受信装置１２０が受信した情報に基づき、電子海図上に漁網１１０の位置、識別子、船舶１８０の位置及び漁網１１０に設置されたバッテリーの電気残量を表示する漁網管理装置１３０とが設置される
ことを特徴とする漁網管理システム。
【請求項２】
漁網情報送信装置１００と船舶１８０間の無線通信に使われる周波数が、極超短波または超短波である
請求項１に記載の漁網管理システム。
【請求項３】
船舶１８０が無線モデム１０２を介して漁網１１０の識別子を呼び出し、無線モデム１０２が送出用に使用する周波数が無線モデム１０２を介して受信されないとき、漁網情報送信制御部１０４が、漁網１１０の位置情報、識別子、及びバッテリー１０５の電気残量情報を暗号化して送出する
請求項１に記載の漁網管理システム。
【請求項４】
漁網情報受信装置１２０が、
アンテナ１２２を介して無線で送受信する無線モデム１２１と、
無線モデム１２１を介して漁網１１０を識別子をもって呼び出し、漁網１１０の位置情報、識別子、及び漁網１１０に設置されたバッテリーの電気残量情報を受信する漁網情報受信部１２３と、
漁網情報受信部１２３と外部信号端をインターフェースさせる外部インターフェース１２６を備える
請求項１に記載の漁網管理システム。
【請求項５】
漁網管理装置１３０が、
船舶１８０に設置されたＧＰＳ受信部１３２と、
ＧＰＳ受信部１３２、外部インターフェース１２６、及び電子海図格納部１３５とインターフェース１３４を介してそれぞれインターフェースして、電子海図上の漁網１１０の位置及び船舶１８０の位置を計算する座標計算部１３７と、
座標計算部１３７の計算によって電子海図上に漁網１１０の位置、識別子、及び船舶１８０の位置を表示し、漁網１１０に設置されたバッテリーの電気残量を別に表示する表示部１３６を備える
請求項４に記載の漁網管理システム。
【請求項６】
保護キャップ１５１の下部外周に、反射テープ１５０が設けられた
請求項１に記載の漁網管理システム。
【請求項７】
下部ケース１５４内に重量中心調節重り１６６を装着して、ハウジング２００を水中で立てせ、下部ケース１５４の上部外周に上部リング１７２及び下部リング１７４を間隔を置いてそれぞれ外挿固定し、リング状の浮力材１５２を上部リング１７２及び下部リング１７４の間において下部ケース１５４の外周に外挿することにより、ハウジング２００を水中で垂直に浮かせる
請求項１に記載の漁網管理システム。
【請求項８】
上部ケース１５５の上端に形成された開口部の周辺に、リング状の防水パッキング１５７が設けられた
請求項１に記載の漁網管理システム。
【請求項９】
上部ケース１５５の下端に形成された開口部の周辺に、リング状の第１及び第２パッキング１５９、１６０が設けられた
請求項１に記載の漁網管理システム。
【発明の詳細な説明】
【技術分野】
【０００１】
本発明は、漁網管理システムに関し、詳しくは、漁網に設置された漁網情報送信装置から漁網の位置情報、識別子、及びバッテリー残量の情報を無線通信で受けて画面の電子海図上に漁網の位置、識別子、及び漁網のバッテリー残量を表示する漁網管理システムに関する。
【背景技術】
【０００２】
従来技術による漁網追跡技術では、電波方向探知機（ＲＤＦ）を使って、探索対象漁網に設置された信号送出のための周波数出力装置が既設のアンテナを介して出力する特定周波数の方向を探知して該当の漁網を捜し出す。
しかし、このような従来技術においては、電波方向探知機が、漁網に設置された周波数出力装置が出力する特定周波数の方向のみを探知して該当の漁網を捜し出すため、漁網を捜し出すまで多大な時間、燃料、人力資源が必要となる問題点があった。
また、漁網に設置されて中短波（ＭＦ／ＨＦ）帯域の周波数を出力する既存の周波数出力装置は、比較的アンテナが長くて消費電力が高いため、周波数出力装置の駆動のためのバッテリーの容量も増大することによって全装備の維持及び管理費用が増加する問題点もあった。
【発明の概要】
【発明が解決しようとする課題】
【０００３】
本発明は、前述した課題を解決するためになされたもので、漁網に設置された漁網情報送信装置から漁網の位置情報、識別子、及びバッテリー残量の情報を無線通信で受けて画面の電子海図上に漁網の位置、識別子、及び漁網のバッテリー残量を表示するための漁網管理システムを提供することを課題とする。
【課題を解決するための手段】
【０００４】
上記課題を解決するために、本発明の一形態では、漁網に設置され、前記漁網の位置情報、識別子及び前記漁網に設置されたバッテリーの電気残量情報をアンテナを介して無線で送出して、遠隔の船舶が無線で受信するようにする漁網情報送信装置；を含み、前記船舶は、前記漁網情報送信装置から送出される前記漁網の位置情報、識別子及び前記漁網に設置されたバッテリーの電気残量情報をアンテナを介して受信する漁網情報受信装置；電子海図情報を格納している電子海図格納部；及び前記電子海図格納部に格納された電子海図情報及び前記漁網情報受信装置が受信した情報に基づき、電子海図上に前記漁網の位置、識別子、前記船舶の位置及び前記漁網に設置されたバッテリーの電気残量を表示する漁網管理装置；を含む、漁網管理システムを提供する。
【０００５】
前記漁網情報送信装置と前記船舶間の無線通信に使われる周波数は極超短波または超短波であってもよい。
【０００６】
前記漁網情報送信装置は、前記漁網に設置されたＧＰＳ受信部；前記アンテナを介して無線で送受信する無線モデム；前記漁網に設置されたバッテリーの電気残量を検出するバッテリー残量検出部；及び前記ＧＰＳ受信部及び前記バッテリー残量検出部に接続され、前記漁網の位置情報、識別子及び前記漁網に設置されたバッテリーの電気残量情報を前記無線モデムを介して送出する漁網情報送信制御部；を含めてもよい。
【０００７】
前記漁網情報送信制御部は、前記船舶が前記漁網の識別子を呼び出す場合、前記無線モデムが送出用に使用する周波数が受信されないとき、前記漁網の位置情報、識別子及び前記バッテリーの電気残量情報を暗号化して送出してもよい。
【０００８】
前記漁網情報受信装置は、前記アンテナを介して無線で送受信する無線モデム；前記無線モデムを介して前記漁網を識別子をもって呼び出し、前記漁網の位置情報、識別子及び前記漁網に設置されたバッテリーの電気残量情報を受信する漁網情報受信部；及び前記漁網情報受信部と外部信号端をインターフェースさせる外部インターフェース；を含めてもよい。
【０００９】
前記漁網管理装置は、前記船舶に設置されたＧＰＳ受信部；前記ＧＰＳ受信部、前記外部インターフェース及び前記電子海図格納部とインターフェースを介してそれぞれインターフェースして、電子海図上の前記漁網の位置及び前記船舶の位置を計算する座標計算部；及び前記座標計算部の計算によって電子海図上に前記漁網の位置、識別子及び前記船舶の位置を表示し、前記漁網に設置されたバッテリーの電気残量を別に表示する表示部；を含めてもよい。
【００１０】
前記漁網管理システムは、前記アンテナ及び前記漁網情報送信装置を内部に設置して保護するためのハウジングをさらに含み、前記ハウジングは、保護キャップが前記アンテナに被せられ、開口部が上端及び下端に形成された上部ケースと上端に開口部が形成され下端は密閉した下部ケースが結合され；上端及び下端に開口部が形成され、内周に雌ネジ部が形成された円形の回転式ロック装置が前記上部ケースの外周を覆って、前記下部ケースの上端部外周に形成された雄ネジ部に前記雌ネジ部が回転によって近接するか当接することにより、前記上部ケースが前記下部ケースに密着して結合され；前記下部ケース内に前記バッテリーが定着され、前記上部ケースの下端に保護板が結合され、前記保護板の上側に前記ＧＰＳ受信部、無線モデム、漁網情報送信制御部及びバッテリー残量検出部が実装されたプリント基板が装着されることで構成してもよい。
【００１１】
前記保護キャップの下部外周に反射テープが設けられてもよい。
【００１２】
前記下部ケース内に重量中心調節重りが装着されることで、前記ハウジングが水に立っているようにし、前記下部ケースの上部外周に上部リング及び下部リングが間隔を置いてそれぞれ外挿固定され、リング状の浮力材が前記上部リング及び下部リングの間において前記下部ケースの外周に外挿されることにより、前記ハウジングが水に垂直に浮かんでいるようにしてもよい。
【００１３】
前記上部ケースの上端に形成された開口部の周辺にリング状の防水パッキングが設けてもよい。
【００１４】
前記上部ケースの下端に形成された開口部の周辺にリング状の第１及び第２パッキングが設けられてもよい。
【発明の効果】
【００１５】
本発明によると、漁網に設置された漁網情報送信装置から漁網の位置情報、識別子、及びバッテリー残量の情報を無線通信で受けて画面の電子海図上に漁網の位置、識別子、及び漁網のバッテリー残量を表示するため、漁網の位置を直観的に分かり、漁網を捜す時間が短くなり、所要燃料及び人的資源が節減され、漁網のバッテリー残量を容易に管理することができるようになる効果がある。
また、漁網情報送信装置と船舶の間の無線通信に極超短波または超短波が使われるため、この短波を空中に送出するためのアンテナが短くなり、無線モデムは、漁網の識別子を呼び出す場合にだけ漁網の位置情報、識別子及びバッテリーの電気残量情報を送出するので、無線モデムの消費電力が低下し、この無線モデムの駆動のためのバッテリーの容量も小さくなることにより、漁網に備えられる全装備の取付費用及び維持費用が低減する利点もある。
【図面の簡単な説明】
【００１６】
【図１】本発明による漁網管理システムの好適な実施例を示す説明図
【図２】図１に示す漁網情報送信装置の好適な実施例を示すブロック図
【図３】図１に示す漁網情報受信装置の好適な実施例を示すブロック図
【図４】図１に示す漁網管理装置の好適な実施例を示すブロック図
【図５】図１に示すアンテナ及び漁網情報送信装置を内部に設置して保護するためのハウジングの好適な実施例を示す斜視図
【図６】図５に示すハウジングの分解斜視図
【図７】図５に示すハウジングの平面図及び断面図
【発明を実施するための形態】
【００１７】
以下、添付図面に基づいて本発明による実施例を詳細に説明する。
図１は本発明による漁網管理システムの好適な実施例を示す図で、漁網情報送信装置１００、アンテナ１０３、漁網１１０及び船舶１８０でなる。船舶１８０は、漁網情報受信装置１２０、アンテナ１２２、漁網管理装置１３０及び電子海図格納部１３５を備える。
【００１８】
このように構成される本発明を図２〜７に基づいて詳細に説明する。
図２は図１に示す漁網情報送信装置１００の好適な実施例を示すブロック図、図３は図１に示す漁網情報受信装置１２０の好適な実施例を示すブロック図、図４は図１に示す漁網管理装置１３０の好適な実施例を示すブロック図である。
また、図５は図１に示すアンテナ１０３及び漁網情報送信装置１００を内部に設置して保護するためのハウジング２００の好適な実施例を示す斜視図、図６は図５に示すハウジング２００の分解斜視図、図７は図５に示すハウジング２００の平面図及び断面図である。
【００１９】
図１〜７において、まず漁網情報送信装置１００は、漁網１１０に設置され、漁網１１０の位置情報、識別子及び漁網１１０に設置されたバッテリーの電気残量情報をアンテナ１０３を介して無線で送出して遠隔の船舶１８０が無線で受信するようにする。この際、漁網情報送信装置１００内の無線モデム１０２と船舶１８０内の漁網情報受信装置１２０内の無線モデム１２１間の無線通信に使われる周波数は極超短波（ＵＨＦ）または超短波（ＶＨＦ）である。
【００２０】
このような漁網情報送信装置１００を図２に基づいて詳細に説明すれば次のようである。
漁網情報送信装置１００内のＧＰＳ受信部１０１は漁網１１０に設置され、三つ以上の衛星から正確な時間及び距離を測定し、三つの互いに異なる距離から三角法で現位置を正確に計算して漁網情報送信制御部１０４に提供する。現在、三つの衛星から距離及び時間の情報を収得し、一つの衛星で誤差を修正する方法を広く使っている。
無線モデム１０２はアンテナ１０３を介して無線で送受信する。
バッテリー残量検出部１０６は、漁網１１０に設置されたバッテリー１０５の電気残量を検出して漁網情報送信制御部１０４に提供する。
【００２１】
漁網情報送信制御部１０４はＧＰＳ受信部１０１及びバッテリー残量検出部１０６に接続され、漁網１１０の位置情報、識別子及び漁網１１０に設置されたバッテリー１０５の電気残量情報を無線モデム１０２を介して送出して船舶１８０が受信するようにする。この際、漁網情報送信制御部１０４は、船舶１８０が無線モデム１０２を介して漁網１１０の識別子を呼び出す場合、無線モデム１０２が送出用に使用する周波数が無線モデム１０２を介して受信されないとき、漁網１１０の位置情報、識別子及び前記バッテリー１０５の電気残量情報を暗号化して送出する。
このように、漁網情報送信制御部１０４が漁網１１０の位置情報、識別子及び前記バッテリー１０５の電気残量情報を暗号化して送出する場合、船舶１８０内の漁網情報受信装置１２０内の漁網情報受信部１２３は無線モデム１２１を介して受信された暗号化した情報を暗号化以前の情報に復旧する。
【００２２】
船舶１８０内の漁網情報受信装置１２０は、漁網情報送信装置１００から送出される漁網１１０の位置情報、識別子及び漁網１１０に設置されたバッテリーの電気残量情報をアンテナ１２２を介して受信して漁網管理装置１３０に提供する。
電子海図格納部１３５は電子海図情報を格納している。この際、電子海図情報は電子海図簡易システム（ＥＣＳ）で使われる電子海図情報であることが好ましい。
漁網管理装置１３０は、電子海図格納部１３５に格納された電子海図情報、及び漁網情報受信装置１２０が受信した情報に基づき、電子海図上に漁網１１０の位置、識別子、船舶１８０の位置及び漁網１１０に設置されたバッテリー１０５の電気残量を表示する。
【００２３】
このような漁網情報受信装置１２０を図３に基づいて詳細に説明すれば、無線モデム１２１はアンテナ１２２を介して無線で送受信する。
漁網情報受信部１２３は、無線モデム１２１を介して漁網１１０を識別子を用いて呼び出し、漁網１１０の位置情報、識別子及び漁網１１０に設置されたバッテリー１０５の電気残量情報を受信する。
外部インターフェース１２６は漁網情報受信部１２３と外部信号端をインターフェースさせる。
【００２４】
また、漁網管理装置１３０を図４に基づいて説明すれば、ＧＰＳ受信部１３２は船舶１８０に設置され、三つ以上の衛星から正確な時間及び距離を測定し、三つの互いに異なる距離から三角法で現位置を正確に計算し、インターフェース１３４を介して座標計算部１３７に提供する。
座標計算部１３７は、ＧＰＳ受信部１３２、外部インターフェース１２６及び電子海図格納部１３５とインターフェース１３４を介してそれぞれインターフェースし、電子海図上に漁網１１０の位置及び船舶１８０の位置を計算する。
表示部１３６は、座標計算部１３７の計算によって電子海図上に漁網１１０の位置、識別子及び船舶１８０の位置を表示し、漁網１１０に設置されたバッテリー１０５の電気残量を別に表示する。
【００２５】
前述したアンテナ１０３及び漁網情報送信装置１００を内部に設置して保護するためのハウジング２００について図５〜７を参照して説明すれば次のようである。
まず、保護キャップ１５１がアンテナ１０３に被せられ、開口部が上端及び下端に形成された上部ケース１５５と、上端に開口部が形成され下端は密閉した下部ケース１５４が結合される。この際、保護キャップ１５１の下部外周に反射テープ１５０を付着することで、夜間に船舶１８０の照明などが反射してハウジング２００の位置を容易に捜すことができるようにする。
【００２６】
ここで、上部ケース１５５の上端に形成された開口部の周辺にリング状の防水パッキング１５７が設けられる。
また、上部ケース１５５の下端に形成された開口部の周辺にリング状の第１及び第２パッキング１５９、１６０が形成されたことを特徴とする。
上端及び下端に開口部が形成され、内周に雌ネジ部が形成された円形の回転式ロック装置１５６が上部ケース１５５の外周面を覆って、下部ケース１５４の上端部外周に形成された雄ネジ部に前記雌ネジ部が回転によって近接するか当接することにより、上部ケース１５５が下部ケース１５４に密着して結合される。
【００２７】
下部ケース１５４内にバッテリー１０５が定着され、上部ケース１５５の下端に保護板１６４が結合され、保護板１６４の上側に、ＧＰＳ受信部１０１、無線モデム１０２、漁網情報送信制御部１０４及びバッテリー残量検出部１０６が実装されたプリント基板１６３が装着される。この際、プリント基板１６３の中央に形成された突起１６５とアンテナ１０３の下端の間に１次及び２次パッキング１５８、１６１が積層される。ここで、プリント基板１６３の中央に形成された突起１６５はアンテナ１０３の下端に形成された孔に挿入される。スイッチパッキング１６２は漁網情報送信制御部１０４を駆動させるためのスイッチの外周などに使われる。
【００２８】
下部ケース１５４内に重量中心調節重り１６６が装着されることでハウジング２００が水に立っているようにし、下部ケース１５４の上部外周に上部リング１７２及び下部リング１７４が間隔を置いてそれぞれ外挿固定され、リング状の浮力材１５２が上部リング１７２及び下部リング１７４の間において下部ケース１５４の外周に外挿されることで、ハウジング２００が水に垂直に浮かんでいるようにする。
【００２９】
このような本発明は、漁網１１０に設置された漁網情報送信装置１００から漁網１１０の位置情報、識別子及びバッテリー残量の情報を無線通信で受け、画面の電子海図上に漁網１１０の位置、識別子及び漁網１１０のバッテリー残量を表示するようにするため、漁網１１０の位置を直観的に分かり、漁網１１０を捜す時間が短くなり、所要燃料及び人的資源が節減され、漁網１１０のバッテリー残量を容易に管理することができるようになる利点がある。
また、漁網情報送信装置１００と船舶１８０間の無線通信に極超短波または超短波が使われるので、この短波を空中に送出するためのアンテナ１０３、１２２が短くなり、無線モデム１０２は漁網１１０の識別子を呼び出す場合にだけ漁網１１０の位置情報、識別子及びバッテリー１０５の電気残量情報を送出するため、無線モデム１０２の消費電力が低くなり、この無線モデム１０２の駆動のためのバッテリーの容量も低くなることにより、漁網１１０に備えられる全装備の取付費用及び維持費用が下落する利点もある。
【００３０】
以上、本発明の技術思想を添付図面に基づいて説明したが、これは本発明の好適な実施例を例示的に説明したもので、本発明を限定するものではない。また、当業者は本発明の技術思想の範囲を逸脱しない範囲内で多様な設計変更が可能である。
【産業上の利用可能性】
【００３１】
本発明は、漁網に設置された漁網情報送信装置から漁網の位置情報、識別子、及びバッテリー残量の情報を無線通信で受けて画面の電子海図上に漁網の位置、識別子、及び漁網のバッテリー残量を表示するための漁網管理システムに適用可能である。
【符号の説明】
【００３２】
１００  漁網情報送信装置
１０１、１３２  ＧＰＳ受信部
１０２、１２１  無線モデム
１０３、１２２  アンテナ
１０４  漁網情報送信制御部
１０５  バッテリー
１０６  バッテリー残量検出部
１１０  漁網
１２０  漁網情報受信装置
１２３  漁網情報受信部
１２６  外部インターフェース
１３０  漁網管理装置
１３４  インターフェース
１３５  電子海図格納部
１３６  表示部
１３７  座標計算部
１８０  船舶
【図１】
0005634435.tif 000002
【図２】
0005634435.tif 000003
【図３】
0005634435.tif 000004
【図４】
0005634435.tif 000005
【図５】
0005634435.tif 000006
【図６】
0005634435.tif 000007
【図７】
0005634435.tif 000008